(57)【要約】      （修正有）【課題】既存の蛍光灯照明器具ソケットの没入端面部の直径サイズに関わりなく、どのような直径サイズのものにでも対応できる端子部構造を提供する。【解決手段】細長板状基板５５に複数のＬＥＤ（発光ダイオード）５４を列設し、両端部にはそれぞれ２本のピン端子１２が設けられ、一般蛍光灯照明器具の両端部のソケットに適合する直管型ＬＥＤ蛍光灯である。本体部端面のそれぞれに、外方に突出する２本の突出部１５を形成し、この突出部１５の先端面にピン端子１２を設ける。突出部１５の外径はピン端子１２よりも大きい。これにより前記突出部１５が一般蛍光灯照明器具のソケット端面部に当接して取り付けられる。これにより本体部両端部の外径サイズに関わらず既存のソケットに取付け可能となる。【選択図】図２
0003142652.tif 000002
【実用新案登録請求の範囲】
【請求項１】
細長板状基板に複数のＬＥＤ（発光ダイオード）を列設したものであって、両端部にはそれぞれ２本のピン端子が設けられ、一般蛍光灯照明器具の両端部のソケットに適合する直管型ＬＥＤ蛍光灯において、
本体部端面のそれぞれに、外方に突出する１又は２以上の突出部を形成し、この突出部の最大外径は本体部の端部外径よりも小さく形成し、
この突出部の端面にピン端子を設け、
これにより、前記突出部が一般蛍光灯照明器具のソケット端面部に当接して取り付けられることを特徴とする直管ＬＥＤ蛍光灯の両端端子構造。
【請求項２】
前記突出部の１つがピン端子と一体的に形成され、その突出部がそれぞれのピン端子の根元部に略円柱形状を有するものとして形成され、且つその突出部の外径がピン端子よりも大きいことを特徴とする請求項１に記載の直管ＬＥＤ蛍光灯の両端端子構造。
【請求項３】
前記突出部が一体的に形成されたそれぞれのピン端子において、このピン端子を２つの構成部材から形成し、一方はＬＥＤ蛍光灯本体部の端面から突出する導電性のピン状突起であり、他方は大径の筒体形状根元部を有し、その先端面にはピン端子を形成したものからなり、後者の筒体形状根元部を前者のピン状突起に冠着することにより、ＬＥＤ蛍光灯の両端端子が形成されることを特徴とする請求項２に記載の直管ＬＥＤ蛍光灯の両端端子構造。
【請求項４】
前記突出部が本体部の端面から柱状に突出する１つのものから形成され、その突出部の端面に２本のピン端子が設けられていることを特徴とする請求項１に記載の直管ＬＥＤ蛍光灯の両端端子構造。
【請求項５】
前記端子構造を２つの構成部材から形成し、一方は本体部の端面から突出する２本の導電性のピン状突起であり、他方はその根元部側で前記ピン状突起に冠着する突出部と、その突出部の先端面に設けられた２本のピン端子とからなるものであり、後者の突出部の根元部側を前者のピン状突起に冠着することにより、ＬＥＤ蛍光灯の端面の端子構造が形成されることを特徴とする請求項４に記載の直管ＬＥＤ蛍光灯の両端端子構造。
【請求項６】
細長板状基板に複数のＬＥＤ（発光ダイオード）を列設したものであって、両端部にはそれぞれ２本のピン端子が設けられ、一般蛍光灯照明器具の両端部のソケットに適合する直管型ＬＥＤ蛍光灯において、
本体部端面のそれぞれに設けられたピン端子を従来の通常長さよりも長く形成し、
本体部端面からは外方に突出する１又は２以上の突出部を形成して、その突出長さは前記ピン端子の長さよりも短く形成し、
これにより、前記突出部が一般蛍光灯照明器具のソケット端面部に当接して取り付けられることを特徴とする直管ＬＥＤ蛍光灯の両端端子構造。
【考案の詳細な説明】
【技術分野】
【０００１】
本考案は、細長板状体の基板の一方の面に複数のＬＥＤ（発光ダイオード）が列設され、既設の蛍光灯照明器具の両端部のソケットに適合できる直管型ＬＥＤ蛍光灯の両端部の端子構造に関するものである。
【背景技術】
【０００２】
図５は、従来の直管型のＬＥＤ蛍光灯の一部省略分解斜視図である。
このＬＥＤ蛍光灯は、細長板状体からなる基板５０の一方の面に複数のＬＥＤ（発光ダイオード）５４を一列に列設し、その両端部のそれぞれのエンドキャップ５１に各２本ずつのピン端子５２、５２が設けられているものである。５６は透明樹脂製の前面カバーである。
図示したＬＥＤ蛍光灯は、２０Ｗ型の通常の蛍光灯と略同一サイズのものであり、このＬＥＤ蛍光灯をそのまま従来の既設の蛍光灯照明器具の両端ソケットに取り付けて点灯させることができるものである。
【０００３】
図６は、既存の一般的な蛍光灯照明器具の両端部に設けられている一方の側のソケットの一例を図示した説明図である。
このソケット６０は、図示はしていない照明器具本体部の両端部に設けられており、蛍光灯の両端部のピン端子を受容する２個の穴部６２、６２がその端面部６１に設けられており、その端面部６１は、内部に弾撥部材を備え、力を加えて押圧することによりソケット６０の本体からその内部に没入するように形成されている。
この端面部６１が内部に没入することによって、蛍光灯の両端部のピン端子が穴部６２、６２に嵌合することができ、蛍光灯本体がこのソケット６０に取り付けられ、固定されることとなる。
【考案の開示】
【考案が解決しようとする課題】
【０００４】
上記従来の既設のソケットは、２０Ｗ型及び４０Ｗ型等の蛍光灯の両端部の外径サイズに適合するように、そのソケット６０の没入可能な没入端面部６１の直径を２７ｍｍ、或は３０ｍｍ等と設定されており、それぞれの蛍光灯の両端部（エンドキャップ）がその没入端面部６１に没入する際に、何ら問題が生じないように、その外径サイズが決定されている。
そこで、ＬＥＤ蛍光灯においても、これまで上記従来の通常タイプの蛍光灯の両端部のサイズと同一サイズにその両端部の外径を設定して来たのである。
【０００５】
しかしながら、ＬＥＤ蛍光灯は現在種々のタイプのものが開発され、そのＬＥＤの基板上への配置も上記の１列のものばかりでなく、２列或は３列のものが考案され、更に高輝度ＬＥＤ等も使用されるに従って、その基板の幅も大きなものを使用する必要が出て来たのである。
図５において、基板５０の幅が大きくなると、その両端部に位置するピン端子５２が設けられているエンドキャップ５１の外径サイズも大きくなって来る。
【０００６】
他方、このエンドキャップ５１の外径サイズは、既設の照明器具のソケットの没入端面部の直径よりも少し小さく設計する必要がある。
そこで、本考案においては、既存の照明器具のソケットの没入端面部の直径サイズに関わりなく、どのような直径サイズのものにでも対応できる端子部構造を提供することをその課題としている。
一般にＬＥＤ蛍光灯は、その製造コストが高く、しかもこのエンドキャップとして多種のサイズのものを製造するとなると、その製造効率が悪くなり製造コストも更に高くなるため、この端子部構造を改良して、共通のものとして製造できれば、その製造効率も良くなり、製造コストの低減にも寄与するのである。
【課題を解決するための手段】
【０００７】
上記の課題を解決すべく、本考案の第１のものは、細長板状基板に複数のＬＥＤ（発光ダイオード）を列設したものであって、両端部にはそれぞれ２本のピン端子が設けられ、一般蛍光灯照明器具の両端部のソケットに適合する直管型ＬＥＤ蛍光灯において、本体部端面のそれぞれに、外方に突出する１又は２以上の突出部を形成し、この突出部の最大外径は本体部の端部外径よりも小さく形成し、この突出部の端面にピン端子を設け、これにより、前記突出部が一般蛍光灯照明器具のソケット端面部に当接して取り付けられることを特徴とする直管ＬＥＤ蛍光灯の両端端子構造である。
【０００８】
本考案の第２のものは、上記第１の考案において、前記突出部の１つがピン端子と一体的に形成され、その突出部がそれぞれのピン端子の根元部に略円柱形状を有するものとして形成され、且つその突出部の外径がピン端子よりも大きいことを特徴とする直管ＬＥＤ蛍光灯の両端端子構造である。
【０００９】
本考案の第３のものは、上記第２の考案において、前記突出部が一体的に形成されたそれぞれのピン端子において、このピン端子を２つの構成部材から形成し、一方はＬＥＤ蛍光灯本体部の端面から突出する導電性のピン状突起であり、他方は大径の筒体形状根元部を有し、その先端面にはピン端子を形成したものからなり、後者の筒体形状根元部を前者のピン状突起に冠着することにより、ＬＥＤ蛍光灯の両端端子が形成されることを特徴とする直管ＬＥＤ蛍光灯の両端端子構造である。
【００１０】
本考案の第４のものは、上記第１の考案において、前記突出部が本体部の端面から柱状に突出する１つのものから形成され、その突出部の端面に２本のピン端子が設けられていることを特徴とする直管ＬＥＤ蛍光灯の両端端子構造である。
【００１１】
本考案の第５のものは、上記第４の考案において、前記端子構造を２つの構成部材から形成し、一方は本体部の端面から突出する２本の導電性のピン状突起であり、他方はその根元部側で前記ピン状突起に冠着する突出部と、その突出部の先端面に設けられた２本のピン端子とからなるものであり、後者の突出部の根元部側を前者のピン状突起に冠着することにより、ＬＥＤ蛍光灯の端面の端子構造が形成されることを特徴とする直管ＬＥＤ蛍光灯の両端端子構造である。
【００１２】
本考案の第６のものは、細長板状基板に複数のＬＥＤ（発光ダイオード）を列設したものであって、両端部にはそれぞれ２本のピン端子が設けられ、一般蛍光灯照明器具の両端部のソケットに適合する直管型ＬＥＤ蛍光灯において、本体部端面のそれぞれに設けられたピン端子を従来の通常長さよりも長く形成し、本体部端面からは外方に突出する１又は２以上の突出部を形成して、その突出長さは前記ピン端子の長さよりも短く形成し、これにより、前記突出部が一般蛍光灯照明器具のソケット端面部に当接して取り付けられることを特徴とする直管ＬＥＤ蛍光灯の両端端子構造である。
上記「従来の通常長さ」というのは、従来の一般蛍光灯の両端部ピン端子の長さを意味し、通常は略９ｍｍ程度に設定されている。
【考案の効果】
【００１３】
本考案の第１のものにおいては、ＬＥＤ蛍光灯の本体部の両端部に形成された突出部の端面にピン端子を設けているために、照明器具のソケット端面部に前記突出部が当接して押圧し、この突出部が端面部を没入させることとなるために、ＬＥＤ蛍光灯本体部の両端部がソケット部の没入した端面部の穴部に嵌入することがないために、その本体部の両端部の外径サイズはソケット端面部の直径サイズに適合させる必要が全くなくなり、その外径サイズを自由に設計することができることとなる。
従って、ソケット部の没入端面部の種々のサイズのものに本考案に係るＬＥＤ蛍光灯は使用することができることとなるのである。
【００１４】
本考案の第２のものにおいては、上記第１の考案をより具体化したものである。
即ち、本体部両端に形成されているピン端子の根元部に大径の円柱形状の突出部を形成しているために、この突出部の端面が一般蛍光灯照明器具のソケット端面部に当接して、この端面部を押圧し、この端面部を没入させて取り付けることができる。
従って、ここでも本体部の端部外径サイズを自由に設計することが可能となる。
本考案の第３のものにおいても、上記第２の考案と同様の効果を発揮するものであり、この考案では、一体的に形成された突出部とピン端子を２つの部材から構成したものである。
【００１５】
本考案の第４のもにおいては、上記第１の考案を具体化したものであり、この考案では突出部をそれぞれの本体部端面に１つずつ設け、この１つの突出部に２本のピン端子を設けたものである。その効果は、上記の考案と同様である。
本考案の第５のものにおいては、上記の突出部と２本のピン端子との構成を２つの部材から形成したものである。
その効果は上記考案と同様のものとなる。
【００１６】
本考案の第６のものにおいては、その効果は、上記考案と同一であるが、上記考案においては、両端部のピン端子が突出部の先端面に形成されていたが、この第６の考案においては、これらピン端子は、突出部の端面に設けられるのではなく、ピン端子と突出部を個別に独立に形成して、上記考案と同一の効果を発揮させることができるものである。
つまり、突出部は、棒状、柱状、或は円環状の突出部から形成して、ピン端子とは独立にＬＥＤ蛍光灯本体部端面から外方に突出させ、これらの突出部がソケットの没入端面部に当接するように構成したものである。
【考案を実施するための最良の形態】
【００１７】
以下、本考案の最良の実施形態について図面と共に説明する。
図１は、本考案に係るＬＥＤ蛍光灯の両端部のそれぞれに取り付けられるエンドキャップを図示しており、その（Ａ）が左側端面図、その（Ｂ）が正面図である。
図２が、上記図１に図示したエンドキャップが取り付けられたＬＥＤ蛍光灯の一方端部側の斜視説明図である。これら両図を用いて説明する。  
エンドキャップ１０は、アルミ製であり、略円筒形状を有し、その左側の端面にはピン端子１２が２本所定間隔に設けられている。
【００１８】
エンドキャップ１０の右側には、ＬＥＤ５４が複数列設された基板５５、及び図示はしていないが背面側のヒートシンク等が組み合わされ、基板５５の前面には横断面略半円形状の透明又は半透明のカバー５６が合体されてＬＥＤ蛍光灯が完成する。
本考案においては、このＬＥＤ蛍光灯の両端部の端子構造が特徴部分であり、その端部のピン端子１２、１２を通常の蛍光灯と比較すると略２倍程度の長さに形成し、図１及び図２に図示した形態においては、略１９ｍｍ程度としている。
【００１９】
このピン端子１２のそれぞれの根元部に、ピン端子１２の外径よりも大きい外径の円柱形状の突出部１５を形成している。この突出部１５の材質は、アルミ製でも合成樹脂製であってもよいし、自由である。
この実施形態では、この突出部１５の長手方向長さは、略１０ｍｍ程度である。
これにより、既存の照明器具のソケットにこのＬＥＤ蛍光灯を取り付ける場合には、上記突出部１５の端面１５ｔが照明器具ソケットの没入端面部に当接し、この没入端面部を没入させてＬＥＤ蛍光灯が取り付けられる。
従って、ＬＥＤ蛍光灯の両端部のエンドキャップは、前記没入端面部によって没入形成された穴部内には嵌入せず、それ故、エンドキャップの外径サイズは、ソケットの没入端面部の直径サイズには無関係のものとなる。
即ち、あらゆるサイズのソケットに対応できることとなるのである。
図１中、１９は絶縁部を図示している。
【００２０】
図３は、本考案に係る端子構造の他の実施形態を図示しており、その（Ａ）が突出部の横断面形状が略長円形のものを示し、その（Ｂ）が突出部の横断面形状が略円形のものを示し、これらの実施形態においては、２つのピン端子に対して１つの突出部により構成している。
図３（Ａ）においては、その突出部１６がエンドキャップ１０の端面１０ｔから外側方向に突出する横断面形状が略長円形の突出部１６として形成され、両ピン端子１２、１２は、この１つの突出部１６の端面から外方に所定間隔で延長する形態を有しているものである。
【００２１】
上記構成により、本考案に係るＬＥＤ蛍光灯を既存の照明器具ソケットに取り付ける際には、上記突出部１６の端面１６ｔがソケットの没入端面部に当接して、この突出部１６のみが没入端面部によって形成される穴部内に嵌入して、本考案に係るＬＥＤ蛍光灯の本体部の端部部分が嵌入することがなく、本考案に係るＬＥＤ蛍光灯の端部部分のエンドキャップの外径サイズを自由に設計することができるのである。
【００２２】
全く同様に、図３（Ｂ）においては、その突出部１７の横断面形状を略円形にしたものであり、その他の構成は、上記図３（Ａ）に記載のものと同様である。
従って、この実施形態においても、突出部１７の端面１７ｔがソケットの没入端面部に当接して、この突出部１７のみが没入端面部によって形成される穴部内に嵌入して、本考案に係るＬＥＤ蛍光灯の本体部の端部部分が嵌入することがなく、本考案に係るＬＥＤ蛍光灯の端部部分のエンドキャップの外径サイズを自由に設計することができるのである。
尚、この図３に記載の実施形態においては、突出部が一体的にＬＥＤ蛍光灯の端面から突出しているために、前記図１及び図２に示した実施形態と異なり、ソケットに取り付けた際に、両ピン端子（両突出部）間に隙間が形成されないものとなる。
【００２３】
図４は、本考案に係る端子構造の他の実施形態を図示した説明図であり、その（Ａ）が突出部が別体に形成されたもの、その（Ｂ）が突出部が一体的に形成されたものを図示している。
図４（Ａ）においては、先の図２に図示した形態の端子構造を２つの構成部材から形成したものである。
即ち、エンドキャップ１０の端面１０ｔには、所定間隔で導電性のピン状突起１１、１１を設け、このピン状突起１１、１１に、根元部に突出部１５が円筒形状に形成され、この突出部１５の端面１５ｔからピン端子１２を形成したキャップ状のものを、嵌合させて、図２に図示した形態の端子として実施することができるものである。
当然のこととして、ピン状突起１１とピン端子１２とは連結され、通電可能である。
このように、本考案における端子構造は、２つの構成要素から形成させることも可能である。
【００２４】
図４（Ｂ）においては、先の図３（Ａ）に図示した形態の端子構造を２つの構成部材から形成したものである。
この実施形態では、突出部１６が一体的に形成され、この突出部１６の断面形状は略長円形状を有している。
この突出部１６の端面１６ｔにピン端子１２を２本所定間隔で形成し、突出部１６の反対面はピン状突起１１、１１と良好に嵌合できる形態としている。
この突出部１６の材質は、種々採用できるが、この実施形態では合成樹脂を使用して成形し、ピン状突起１１、１１にはめ込むことができるように構成している。
ここでも勿論のこととして、導電性ピン状突起１１とピン端子１２とは連結され、通電可能である。
【００２５】
以上、実施形態について説明したが、本考案においては、登録請求の範囲内で種々設計変更が可能である。
上記実施形態では、その端子構造を２つの部材で構成したものを例示しているが、その端子構造は、１つの構成部材から形成し、且つ、本体部と別体に形成して、両者を結合することも可能である。
例えば、図４（Ｂ）に図示した実施形態において、２本のピン状突起１１、１１を本体部端面に設けずに、この本体部端面に２つの通電用穴部を形成し、前記２本のピン状突起１１、１１を突出部１６の根元側端面に形成して、これらの２本のピン状突起を前記通電用穴部に差し込んで形成することも容易にできるものである。
この形態のものは、当然に実用新案登録請求の範囲の請求項１に含まれる形態である。
【００２６】
また、ピン端子は、上記各実施形態では、突出部と一体的に形成しているが、即ち、突出部の端面に形成しているが、このピン端子は、突出部の端面に設けなくとも実施可能である。
即ち、ＬＥＤ蛍光灯本体部端面から直接ピン端子を２本所定間隔で設け、且つこのピン端子の長さを従来の通常蛍光灯のピン端子の長さの約２倍程度の長さに形成し、このピン端子と別体に、本体部端面から突出部を形成して実施することもできるのである。
この場合の突出部の形態も、種々自由に設計することができるが、棒状、柱状或は環状等の各種の形態で実施可能である。この形態は実用新案登録請求の範囲の請求項６において権利請求している。
【００２７】
本考案の要旨は、ＬＥＤ蛍光灯の両端部の端子構造に係り、その本体部端面に突出部を形成し、この突出部が既存の照明器具ソケットの没入端面部に当接するように構成した点である。
その突出部の形態は、種々変更することができ、上記実施形態のように、それぞれのピン端子の根元部に個別に形成することもでき、或は、両ピン端子の根元部に一体的に柱状に形成することもできる。
【００２８】
従って、突出部の数は、１つでもよいし２つ以上であってもよい。
例えば、突出部をピン端子の略半分長さの複数の棒状突起によって形成することも可能なのである。
要するにＬＥＤ蛍光灯本体部の両端端面から外方に突出する突出部を形成すればよいのであるが、その横断面形状は、全く自由であり、その突出部の数も１つ又は２つ以上設けることも可能である。
【００２９】
但し、その突出部を設ける端面部の領域は、その中央部寄りに設ける必要があり、その突出部が１個設けられようと、複数設けられようと、既存のソケットの没入端面部の直径よりも小さい領域内に設けられるのであれば、その数や形状等は全く自由なのである。
以上の構成により、本考案に係るＬＥＤ蛍光灯は、その本体部の外径サイズを、とりわけその両端部の外径サイズを自由に設計することが可能となり、所定外径のエンドキャップを形成することにより、この一つのサイズのエンドキャップで、例えば２０Ｗ型でも、或は４０Ｗ型であっても、更にはそれ以外のタイプのものにも対応させることができるのである。
【００３０】
更には、より照度の明るいものとして２列或は３列にＬＥＤを配列した基板を使用する場合には、その本体部の外径サイズが大きくならざるを得ないが、その大きい外径サイズのＬＥＤ蛍光灯においても本考案に係る端子構造を利用して、既存の蛍光灯照明器具のソケットに取り付けることが出来るものと成るのである。
以上、本考案は、簡易な構成にして極めて大きな効果を発揮するものである。
【図面の簡単な説明】
【００３１】
【図１】本考案の実施形態に係るＬＥＤ蛍光灯の両端部のそれぞれに取り付けられるエンドキャップを図示しており、その（Ａ）が左側端面図、その（Ｂ）が正面図である。
【図２】図１に図示したエンドキャップが取り付けられたＬＥＤ蛍光灯の一方端部側の斜視説明図である。
【図３】本考案の実施形態に係る端子構造の他の実施形態を図示する説明図であり、その（Ａ）が突出部の横断面形状が略長円形のものを示し、その（Ｂ）が突出部の横断面形状が略円形のものを示している。
【図４】本考案の実施形態に係る端子構造の他の実施形態を図示した説明図であり、その（Ａ）が突出部が別体に形成されたもの、その（Ｂ）が突出部が一体的に形成されたものを図示している。
【図５】従来の直管型のＬＥＤ蛍光灯の一部省略分解斜視図である。
【図６】従来の既存の一般的蛍光灯照明器具の両端部に設けられている一方の側のソケットの一例を図示した説明図である。
【符号の説明】
【００３２】
１０  エンドキャップ
１１  ピン状突起
１２  ピン端子
１５、１６、１７  突出部
１５ｔ、１６ｔ、１７ｔ  端面
【図１】
0003142652.tif 000003
【図２】
0003142652.tif 000004
【図３】
0003142652.tif 000005
【図４】
0003142652.tif 000006
【図５】
0003142652.tif 000007
【図６】
0003142652.tif 000008